(57)【要約】  構成要素ａ）およびｂ）が組成物の少なくとも３０重量％を含むようなａ）１つまたは複数の第四級アンモニウム織物軟化材少なくとも１重量％と、ｂ）非イオン性界面活性剤少なくとも１重量％と、ｃ）少なくとも４０℃の融点を有する脂肪酸、少なくとも４０℃の融点を有する脂肪アルコール、およびこれらの混合物から選択された脂肪成分少なくとも２０重量％と、ｄ）水５から３０重量％を含む熱活性化織物処理組成物。組成物は、使用時に回転式乾燥機の内部パネルに取り付けられる分注デバイス内に供給される。【特許請求の範囲】
【請求項１】
構成要素ａ）およびｂ）が組成物の少なくとも３０重量％を含むような、
ａ）１つまたは複数の第四級アンモニウム織物軟化材少なくとも１重量％と、
ｂ）非イオン性界面活性剤少なくとも１重量％と、
ｃ）融点が少なくとも４０℃である脂肪酸、融点が少なくとも４０℃である脂肪アルコール、およびこれらの混合物から選択された脂肪成分少なくとも２０重量％と、
ｄ）水５から３０重量％と
を含む熱活性化織物処理組成物。
【請求項２】
第四級アンモニウム織物軟化材が、１０から４５重量％の量で存在する請求項１に記載の組成物。
【請求項３】
第四級アンモニウム織物軟化材が、メチル硫酸トリエタノールアンモニウムのジアルケニルエステルである請求項１に記載の組成物。
【請求項４】
非イオン性界面活性剤１５から４５重量％を含む請求項１から３のいずれかに記載の組成物。
【請求項５】
非イオン性界面活性剤が、一般式
【化１】
2008519910.tif 000017
［式中、Ｒは、イソ−Ｃ１３Ｈ２７である。］
で表される請求項１から４のいずれかに記載の組成物。
【請求項６】
第四級アンモニウム織物軟化材と非イオン性界面活性剤の前記組み合わせた量が、全組成物の３０から６０重量％の量である請求項１から５のいずれかに記載の組成物。
【請求項７】
脂肪成分が、融点が５５から６５℃の範囲内である脂肪酸および脂肪アルコールから選択される請求項１から６のいずれかに記載の組成物。
【請求項８】
脂肪成分３０から４０重量％を含む請求項１から７のいずれかに記載の組成物。
【請求項９】
脂肪成分が、脂肪酸と脂肪アルコールの混合物を含む請求項１から８のいずれかに記載の組成物。
【請求項１０】
脂肪酸が、脂肪アルコールよりも多い量で存在する請求項９に記載の組成物。
【請求項１１】
脂肪酸が、パルミチン酸およびステアリン酸から選択される請求項１から１０のいずれかに記載の組成物。
【請求項１２】
脂肪アルコールが、獣脂アルコールである請求項１から１１のいずれかに記載の組成物。
【請求項１３】
水５から２０重量％を含む請求項１から１２のいずれかに記載の組成物。
【請求項１４】
溶媒１から２０重量％をさらに含む請求項１から１３のいずれかに記載の組成物。
【請求項１５】
前記溶媒が、ジプロピレングリコールである請求項１４に記載の組成物。
【請求項１６】
香料少なくとも３重量％を含む請求項１から１５のいずれかに記載の組成物。
【請求項１７】
分注デバイス内の請求項１から１６のいずれかに記載の熱活性化組成物を含むパッケージ。
【請求項１８】
回転式乾燥機のドアの内部パネル上に請求項１７に記載のパッケージを配置することと、回転式乾燥機内に織物を挿入することと、乾燥機を運転し、織物処理組成物の少なくとも一部をデバイスから乾燥させる織物上に分注し、織物を調整することとを含む、回転式乾燥機内で織物を調整する方法。
【発明の詳細な説明】
【技術分野】
【０００１】
本発明は、織物処理組成物に関する。本発明は、特に、回転式乾燥機で使用する熱活性化織物処理組成物に関する。
【背景技術】
【０００２】
自動回転式乾燥機で使用する熱活性化織物処理組成物は、本発明の同時係属出願であるＷＯ−Ａ−０３／０８７２８５およびＷＯ−Ａ−０３／０８７２８６において説明されており、回転式乾燥機における織物処理で使用するのに適しているデバイスは、本発明の同時係属出願であるＷＯ−Ａ１−０２／３３１６０およびＷＯ−Ａ１−０２／３３１６１において開示されている。
【０００３】
乾燥サイクルで活性物質を織物上に送達する作業を最適化するために、回転式乾燥機の加熱処理サイクル温度よりも低い温度では分注物品内に実質的に残り、分注物品から分注されるように回転式乾燥機の加熱サイクルにおいて転移を受けることができる織物処理組成物を提供することが望ましい。
【０００４】
したがって、受け入れがたい不安定性をもたらすことなくこのような転移を受けることができる織物処理組成物を提供することが望ましい。組成物は、このようなサイクルを繰り返し受けることができることが特に望ましい。
【０００５】
このような織物処理組成物を効果的に送達するには、組成物は送達温度（つまり、回転式乾燥機の加熱温度）で流動性を有している必要がある。
【０００６】
したがって、分注デバイスから回転式乾燥機の加熱サイクルにおいて液体として送達されうる熱活性化織物処理組成物を提供することが望ましい。
【０００７】
さらに、分注デバイス内に貯蔵することができ、回転式乾燥機の加熱サイクルでは組成物の少なくとも一部が織物に送達され、貯蔵状態ではデバイスから漏れることのないようにより粘性のある貯蔵状態からあまり粘性のない分注可能状態までの繰り返しサイクルを受けることができる熱活性化織物処理組成物を提供することが望ましい。
【０００８】
漏れの問題は、周囲貯蔵温度が組成物の溶融温度に近い場合に著しい危険要因となる。
【０００９】
本発明の同時係属英国特許出願第０４２０２０２．４号では、
（ａ）（ｉ）０から１９までの平均ヨウ素価を有する親脂肪酸またはアシル化合物から誘導された第四級アンモニウム織物軟化材、および
（ｉｉ）２０から１４０までの平均ヨウ素価を有する親脂肪酸またはアシル化合物から誘導された第四級アンモニウム織物軟化材を含む第四級アンモニウム織物軟化システム１から７５ｗｔ％と、
（ｂ）非イオン性界面活性剤５から６０ｗｔ％と、
（ｃ）水５から７０ｗｔ％を含む熱活性化織物処理組成物、ならびに回転式乾燥機内で織物を調整する際のその使用を開示している。
【００１０】
この組成物では、上述の問題の一部を解消する。
【発明の開示】
【発明が解決しようとする課題】
【００１１】
本発明は、改善された特性を有する代替の熱活性化組成物を提供することを目的とする。
【課題を解決するための手段】
【００１２】
本発明によれば、構成要素ａ）およびｂ）が組成物の少なくとも３０重量％を含むような
ａ）１つまたは複数の第四級アンモニウム織物軟化材少なくとも１重量％と、
ｂ）非イオン性界面活性剤少なくとも１重量％と、
ｃ）融点が少なくとも４０℃である脂肪酸、融点が少なくとも４０℃である脂肪アルコール、およびこれらの混合物から選択された脂肪成分少なくとも２０重量％と、
ｄ）水５から３０重量％とを含む熱活性化織物処理組成物が提供される。
【発明を実施するための最良の形態】
【００１３】
本発明の文脈において、「熱活性化」は、組成物が、家庭用回転式乾燥機で使用するのに適していることを意味し、好ましくは、組成物が、周囲温度、つまり２０℃では実質的に固体であり、家庭用回転式乾燥機の加熱温度では実質的に液体の状態への転移を受けることを意味する。
【００１４】
家庭用回転式乾燥機の加熱温度は、典型的には、約４０℃から約８０℃までの範囲内であるため、組成物は、３０℃で固体であるのが特に好ましく、４０℃で固体であるのがより好ましい。組成物は、５０℃を超える温度で完全に溶けることが望ましい。
【００１５】
製品形態
貯蔵時に分注デバイス内に実質的に留まり、回転式乾燥機の加熱サイクルでは織物に送達されることができる織物処理組成物を提供するために、組成物は貯蔵状態から分注状態への転移を熱サイクルの加熱温度でまたはそのあたりの温度で行わせる粘度特性を有することが重要である。つまり、組成物は、好ましくは、周囲温度において非流動の高粘度生成物、例えば固体でなければならず、また回転式乾燥機の加熱温度では、低粘度生成物、例えば液体にならなければならない。
【００１６】
理想的には、加熱温度において、組成物は、単相であるか、または多相であれば、分散相内の重量平均粒径は、分注デバイスの典型的な膜細孔のサイズよりも小さい。典型的な膜では、細孔のサイズは０．０１〜１０ミクロンの範囲内であるが、この範囲を外れる細孔のサイズも適している場合がある。例えば、圧縮泡および焼結は、より大きな細孔サイズ、例えば、最大５０ミクロンまで、またはそれ以上のサイズを有することができる。
【００１７】
細孔サイズは、分注が困難になるほど小さくてはならず、乾燥サイクル毎に放出される組成物が多すぎるほど、したがって染色の危険性が高まるほど大きな細孔サイズであってはならない。
【００１８】
家庭用回転式乾燥機の加熱温度では、組成物の粘度は、典型的には、３００ｓ−１で３５０ｍＰａ．ｓ以下、より好ましくは３００ｍＰａ．ｓ以下、最も好ましくは２５０ｍＰａ．ｓ以下、例えば２００ｍＰａ．ｓ以下である。測定は、Ｈａａｋｅ  ＰＫ１００  Ｖｉｓｃｏｍｅｔｅｒ、６ｃｍ  ２°の円錐および板幾何学的形状を使用して行われる。
【００１９】
本発明の組成物は、３０℃で、好ましくは３５℃で、より好ましくは４０℃で固体である。これらの固体組成物は、回転式乾燥機の少なくとも５０、好ましくは少なくとも９０サイクルを通して制御しつつ組成物を送達することができるデバイスに組成物の容器を供給するために容易に使用できる点でゲル状組成物に勝る利点を有する。このような大きな容器を利用した場合、組成物に対しかなりの制約がかかる。例えば、大量の組成物に関連する上部圧力は、特に容器が満杯のときに、冷却時の液体から固体への転移が遅いことと相まって、サイクルとサイクルとの間に送達デバイスを通して望ましくない滴りを引き起こしうる。これは、ゲル状組成物の場合に特に問題となりうる。それに加えて、大きな容器内の組成物は、熱サイクルを何度受けても不安定になることなく十分に安定していなければならない。
ａ）第四級アンモニウム織物軟化材
組成物は、少なくとも１つの第四級アンモニウム織物軟化材を含む。
【００２０】
使用できる陽イオン性織物軟化化合物の第１の群は、式（Ｉ）
【００２１】
【化２】
2008519910.tif 000002
で表すことができる
［式中、Ｒはそれぞれ、Ｃ５〜３５アルキルまたはアルケニル基であり、Ｒ１は、Ｃ１〜４アルキル、Ｃ２〜４アルケニル、またはＣ１〜４ヒドロキシアルキル基を表し、
Ｔは、
【００２２】
【化３】
2008519910.tif 000003
であり、
ｎは、０または１から４までの数から選択された数であり、ｍは、１、２、または３であり、Ｎ原子から直接ぶら下がっている関係する部分の個数を表し、Ｘ−は、ハロゲン化物またはアルキル硫酸塩、例えば、塩化物、硫酸メチル、または硫酸エチルなどの陰性基である。］。
【００２３】
このクラスの好ましい物質は、メチル硫酸トリエタノールアンモニウムのジアルケニルエステルである。
【００２４】
市販の実施例は、Ｔｅｔｒａｎｙｌ  ＡＨＴ−１（８０％活性のメチル硫酸トリエタノールアンモニウムの二硬化オレイン酸エステル）、Ｔｅｔｒａｎｙｌ  ＡＴ−１（９０％活性のメチル硫酸トリエタノールアンモニウムのジオレイン酸エステル）、Ｌ５／９０（９０％活性のメチル硫酸トリエタノールアンモニウムのパームエステル）（すべてＫａｏ社から）、およびＲｅｗｏｑｕａｔ  ＷＥ１５（９０％活性の四級化ジメチル硫酸トリエタノールアミンとのＣ１０〜Ｃ２０およびＣ１６〜Ｃ１８不飽和脂肪酸反応生成物）（Ｗｉｔｃｏ  Ｃｏｒｐｏｒａｔｉｏｎ社から）およびＳｔｅｐａｎｔｅｘ  ＶＬ８５Ｇ（Ｓｔｅｐａｎ社から）を含む。
【００２５】
本発明で使用する陽イオン性織物軟化化合物の第２の群は、式（ＩＩ）
【００２６】
【化４】
2008519910.tif 000004
で表される
［式中、Ｒ１基は、それぞれ独立に、Ｃ１〜４アルキル、ヒドロキシアルキル、またはＣ２〜４アルケニル基から選択され、Ｒ２基は、それぞれ独立に、Ｃ８〜２８アルキルまたはアルケニル基から選択され、ｎは、０または１から５までの整数であり、ＴおよびＸ−は、上で定義されているとおりである。］。
【００２７】
本発明で使用する陽イオン性織物軟化化合物の第３の群は、式（ＩＩＩ）
【００２８】
【化５】
2008519910.tif 000005
で表される
［式中、Ｒ１基は、それぞれ独立に、Ｃ１〜４アルキルまたはＣ２〜４アルケニル基から選択され、Ｒ２基は、それぞれ独立に、Ｃ８〜２８アルキルまたはアルケニル基から選択され、ｎは、０または１から５までの整数であり、ＴおよびＸ−は、上で定義されているとおりである。］。
【００２９】
本発明で使用する陽イオン性織物軟化化合物の第４の群は、式（ＩＶ）
【００３０】
【化６】
2008519910.tif 000006
で表される
［式中、Ｒ１基は、それぞれ独立に、Ｃ１〜４アルキルまたはＣ２〜４アルケニル基から選択され、Ｒ２基は、それぞれ独立に、Ｃ８〜２８アルキルまたはアルケニル基から選択され、Ｘ−は、上で定義されているとおりである。］。
【００３１】
第四級アンモニウム織物軟化材は、組成物の全重量に基づいて少なくとも１重量％（活性成分）、好ましくは５から５０重量％、最も好ましくは１０から４５重量％の量で存在する。
【００３２】
親脂肪アシル基または酸のヨウ素価
本発明の文脈において、織物軟化材を形成する親脂肪アシル化合物または酸のヨウ素価は、化合物の１００グラムと反応するヨウ素のグラム数として定義される。
【００３３】
親脂肪アシル化合物／酸のヨウ素価を計算する方法は、所定の量（０．１〜３ｇ）を約１５ｍｌのクロロホルム中に溶解することを含む。次いで、溶解された親脂肪アシル化合物／脂肪酸を、酢酸に一塩化ヨウ素を溶かした溶液２５ｍｌ（０．１Ｍ）と反応させる。これに、１０％ヨウ化カリウム溶液２０ｍｌと約１５０ｍｌの脱イオン水を加える。ハロゲン化物を加えた後、一塩化ヨウ素の過剰分は、粉末青色デンプン指示薬の存在下でチオ硫酸ナトリウム溶液（０．１Ｍ）で滴定することにより測定される。これと同時に、試薬の等量を使用し、同じ条件の下で、ブランクが測定される。ブランクで使用されるチオ硫酸ナトリウムの体積と親脂肪アシル化合物または脂肪酸との反応で使用されるチオ硫酸ナトリウムの体積との差から、ヨウ素価を計算することができる。
ｂ）非イオン性界面活性剤
非イオン性界面活性剤は、組成物の溶融温度の制御を改善するため、または少なくとも、組成物が流れる温度に影響を及ぼすために存在する。
【００３４】
また、他の目的のためにも存在しうる。例えば、処理済み織物に有益な帯電防止機能を付与することも判明している。
【００３５】
好ましい非イオン性界面活性剤は、周囲温度では固体であり、したがって、織物に一旦沈着すると、織物からの散乱光を大きくし、それにより、織物に沈着した生成物の可視性を低下させる。
【００３６】
さらに、好ましい非イオン性界面活性剤は、８から２０まで、より好ましくは１０から２０までの範囲内のＨＬＢを持ち、これは、加熱サイクルの高い温度の水相において活性成分（２０℃の水において１×１０−３ｗｔ％未満の溶解度を典型的には有する織物軟化剤など）の溶解を著しく改善する。
【００３７】
好適な非イオン性界面活性剤は、脂肪アルコール、脂肪酸、および脂肪アミンとのエチレン酸化物および／またはプロピレン酸化物の添加生成物を含む。
【００３８】
理想的には、非イオン性界面活性剤は、１分子当たりアルコキシ８から４０単位、より好ましくは１０から３０単位、なおいっそう好ましくは１１から２５単位、例えば、アルコキシ１２から２２単位の平均アルコキシル化度を伴う。
【００３９】
以下で説明される特定の種類のアルコキシル化材料はどれも、非イオン性界面活性剤として使用することができる。
【００４０】
好適な界面活性剤は、一般式
【００４１】
【化７】
2008519910.tif 000007
の実質的に水溶性の界面活性剤である
［式中、Ｒは、第一級、第二級、および分鎖アルキルおよび／またはアシルヒドロカルビル基、第一級、第二級、および分鎖アルケニルヒドロカルビル基、および第一級、第二級、および分鎖アルケニル置換フェノールヒドロカルビル基からなる群から選択され、ヒドロカルビル基は炭素原子８から約２５、好ましくは１０から２０、例えば１２から１８個分の鎖長を持ち、ココヤシおよび獣脂または鎖組成が最も好ましい。］。
【００４２】
エトキシル化非イオン性界面活性剤の一般式において、Ｙは、典型的には
【００４３】
【化８】
2008519910.tif 000008
である
［式中、Ｒは、上で与えられた意味を有するか、または水素とすることができ、Ｚは、好ましくは８から４０までの範囲、より好ましくは１０から３０までの範囲、最も好ましくは１１から２５、例えば１２から２２の範囲である。］。
【００４４】
アルコキシル化度Ｚは、１分子当たりのアルコキシ基の平均個数を表す。
【００４５】
非イオン性界面活性剤は、ショ糖モノエステル、ジエステル、およびポリエステルなどのポリオールベースの界面活性剤であってよい。好適なショ糖エステルの実施例は、ショ糖モノオレイン酸エステル、ショ糖モノステアリン酸エステルまたはこれらの混合物、ポリグリセロール、ココヤシまたはステアリルモノグルコシドおよびステアリルトリグルコシドなどのアルキルポリグルコシド、およびアルキルポリグリセロールを含む。
【００４６】
好ましい非イオン性界面活性剤は、一般式
【００４７】
【化９】
2008519910.tif 000009
で表されるものである
［式中、Ｒはイソ−Ｃ１３Ｈ２７である。］。
【００４８】
このような物質は、ＬＵＴＥＮＳＯＬ  ＴＯ  ２０という商標名でＢＡＳＦから市販されている。
【００４９】
他の好ましい物質は、Ｇｅｎａｐｏｌ  Ｃ２００である。上記の非イオン性界面活性剤は、本発明の組成物単独で、または組合せで使用することができ、「非イオン性界面活性剤」という用語は、混合された非イオン性表面活性剤を包含する。
【００５０】
ショ糖ベースの界面活性剤は、他のアルコキシレートと比べて水和状態が高いため非常に好適である。
【００５１】
非イオン性界面活性剤は、組成物の全重量に基づき、少なくとも５重量％、好ましくは１０から５０ｗｔ％、最も好ましくは１５から４５ｗｔ％のレベルで存在する。
【００５２】
非イオン性界面活性剤が存在する量は、好ましくは、第四級アンモニウム織物軟化材よりも多い。非イオン性界面活性剤および第四級アンモニウム織物軟化材の組み合わせた量は、全組成物の少なくとも２０重量％、好ましくは１０から７０重量％、より好ましくは３０から６０重量％である。
【００５３】
好ましくは、非イオン性界面活性剤は、過剰な重量で、より好ましくは第四級アンモニウム織物軟化システムに関してモル過剰量で存在する。
【００５４】
一般的に、第四級アンモニウム織物軟化システムと非イオン性界面活性剤との重量比は、２：１から１：１００までの範囲内、好ましくは３：２から１：７５までの範囲内、より好ましくは１：１から１：２０までの範囲内、例えば２：３から１：５までの範囲内である。
ｃ）脂肪成分
本発明の組成物は、脂肪酸および脂肪アルコールおよびこれらの混合物から選択された脂肪成分を含む。脂肪酸およびアルコールの融点は、少なくとも４０℃、好ましくは少なくとも５０℃、最も好ましくは５５から６５℃の範囲内である。
【００５５】
脂肪成分は、周囲温度では固体であり、したがって、織物に一旦沈着すると、織物からの散乱光を大きくし、それにより、織物に沈着した生成物の可視性を低下させる。
【００５６】
好適な脂肪酸／アルコールは、炭素原子１４から２６個分、より好ましくは１２から２２個分、最も好ましくは１２から２０個分の炭素鎖長を有する。
【００５７】
脂肪成分は、構造剤として働き、生成物を安定した固体構造として形成することができる。３０℃を超える、好ましくは３５℃を超える、より好ましくは４０℃を超える生成物融点は、脂肪成分の適切な選択および濃度で得られる。それに加えて、生成物の固体から液体、および液体から固体への転移は、脂肪成分がないか、または脂肪成分が少ない生成物と比較して狭い温度範囲で発生することが判明している。これは、乾燥サイクルを終了した後、回転式乾燥機がクールダウンするときのデバイスからの「滴り」の現象を低減するために特に有利である。
【００５８】
脂肪成分は、全組成物の少なくとも２０％、好ましくは少なくとも２５％、より好ましくは３０から４０％までの範囲内の量で存在する。本質的ではないが、脂肪酸は、この物質が帯電防止剤として付加的に作用しうるため存在することが好ましい。
【００５９】
好ましくは、脂肪酸と脂肪アルコールの両方が存在する。一般的に、脂肪酸の量は、脂肪アルコールの量よりも多い。
【００６０】
好ましい脂肪酸は、硬化獣脂脂肪酸（ＵｎｉｑｅｍａからＰｒｉｓｔｅｒｅｎｅという商標名で市販されている）および硬化パルミチン酸（ＵｎｉｑｅｍａからＰｒｉｆｒａｃ  ２９６０という商標名で市販されている）を含む。
【００６１】
好ましい脂肪アルコールは、硬化獣脂アルコール（Ｃｏｇｎｉｓ社からＳｔｅｎｏｌ  ａｎｄ  Ｈｙｄｒｅｎｏｌ、およびＡｌｂｒｉｇｈｔ  ａｎｄ  ＷｉｌｓｏｎからＬａｕｒｅｘ  ＣＳという商標名で市販されている）およびベヘニルアルコール、Ｌａｎｅｔｔｅ  ２２  （Ｈｅｎｋｅｌ社）として市販されているＣ２２鎖アルコールを含む。
ｄ）水
本発明の組成物は、全組成物の５から３０％、好ましくは５から２５％、より好ましくは５から２０％までの範囲内の量の水を含む。
【００６２】
本発明の組成物の水に基づく性質は、染色を低減するのに役立つと考えられ、実質的に非水溶性である従来の回転式乾燥機シートと異なる。
【００６３】
乾燥サイクルにおいて繊維上に沈着する場合、水は、好ましくは、部分的に蒸発し、および／または活性成分に部分的に関連付けられたままである連続相として存在する。
【００６４】
水に基づく組成物の予想外の利点は、染色の量が、回転式乾燥機の加熱サイクル毎の組成物の送達量にはあまり依存しないことである。
ｅ）溶媒
場合によっては、また都合よく、組成物は溶媒を含む。溶媒は、第四級アンモニウム軟化材および香料を溶解しやすくするために存在させることができる。さらに溶媒は、組成物の粘度および流れ温度特性を最適化する。さらに、溶媒は、貯蔵後に組成物から水分が失われるのを遅らせる保湿剤としても働きうる。
【００６５】
好ましくは、溶媒は、半極性である。
【００６６】
好適な溶媒は、回転式乾燥機の加熱温度よりも高い引火点を有するものを含む。理想的には、溶媒はさらに無色でもある。
【００６７】
市販されている実施例は、グリコールエーテルなどのポリオールを含む。最も好ましい溶媒は、ジプロピレングリコールである。
【００６８】
溶媒は、好ましくは、組成物の全重量に基づいて、１から２０重量％、最も好ましくは３から１０重量％のレベルで存在する。
【００６９】
水の全部または一部を１つまたは複数の溶媒で置き換えることが可能である。この場合、本明細書で説明されているものよりも高い、加えられた溶媒のレベルおよび低い水のレベルが、組成物中に存在しうる。
香料
本発明の組成物は、さらに、１つまたは複数の香料を含むことが望ましい。好適な香料成分は、参照により本明細書に組み込まれている、１９６９年に出版されたＳｔｅｆｆｅｎ  Ａｒｃｔａｎｄｅｒ著「Ｐｅｒｆｕｍｅ  ａｎｄ  Ｆｌａｖｏｒ  Ｃｈｅｍｉｃａｌｓ  （Ａｒｏｍａ  Ｃｈｅｍｉｃａｌｓ）」で開示されているものを含む。好ましい香料は、Ａｍａｚｏｎｅという商標名で市販されている。
【００７０】
組成物を不安定にすることなく、最大１０ｗｔ％までの香料を本発明の組成物に組み込むことができることが判明している。このようなレベルは、市販されている回転式乾燥機シート中に存在するものよりも著しく高い。したがって、香料の高い実質性および寿命は、従来の回転式乾燥機シートからではなく、本発明の組成物から得られる。
【００７１】
そのため、香料のレベルは、組成物の全重量に基づき、３ｗｔ％よりも大きい、より好ましく４ｗｔ％よりも大きい、最も好ましくは５ｗｔ％よりも大きいことが望ましい。
他の共活性成分
織物処理活性成分に対する他の共活性成分も、組成物の全重量に基づき、０．０１から２０重量％まで、より好ましくは０．０５から１０重量％までの量で組み込まれることができる。この種類の好ましい成分は、脂肪エステル、および脂肪Ｎ酸化物を含む。
【００７２】
好ましい脂肪エステルは、モノステアリン酸グリセロールなどの脂肪モノエステルを含む。ＧＭＳが存在する場合、組成物中のＧＭＳのレベルは、組成物の全重量に基づき、０．０１〜１０ｗｔ％までであることが好ましい。
ポリマー粘度調整剤
ポリマー粘度調整剤も、本発明の組成物中に存在しうる。好適なポリマー粘度調整剤は、疎水修飾セルロースエーテル（例えば、Ｈｅｒｃｕｌｅｓ社のＮａｔｒｏｓｏｌ  Ｐｌｕｓ）および陽イオン修飾デンプン（例えば、Ａｖｅｂｅ社のＳｏｆｔｇｅｌ  ＢＤＡおよびＳｏｆｔｇｅｌ  ＢＤ）などの非イオン性および陽イオン性ポリマーを含む。特に好ましい粘度調整剤は、Ｆｌｏｓｏｆｔ  ２００（ＳＮＦ  Ｆｌｏｅｒｇｅｒ社）という商標名で市販されているメタクリレートと陽イオン性アクリルアミドの共重合体である。
【００７３】
ポリマー粘度調整剤は、好ましくは、組成物の全重量に基づき、０．０１から５ｗｔ％まで、より好ましくは０．０２から４ｗｔ％までの量で存在する。
他の任意選択の成分
これらの組成物は、さらに、ｐＨ緩衝化剤、香料、香料担体、蛍光物質、着色剤、消泡剤、再付着防止剤、高分子電解質、酵素、蛍光増白剤、収縮防止剤、皺防止剤、斑点付着防止剤、殺菌剤、防かび剤、抗菌剤、滑沢剤、溶媒、さび止め、ドレープ付与剤、アイロン掛け補助剤、および染料などの、織物調整組成物に従来から含まれている１つまたは複数の任意選択の成分を含むこともできる。
（実施例）
次に、本発明は、以下の限定されない実施例で例示される。本発明の範囲内の他の修正形態も、当業者には明らかなものである。
【００７４】
本発明のサンプルは、番号で表される。比較サンプルは、英字で表される。
【００７５】
すべての値は、断りのない限り、活性成分の重量％である。
【００７６】
（実施例１（比較））
以下の組成物は、以下のように調製された。非イオン性界面活性剤および第四級アンモニウム軟化材は、６０℃で攪拌することにより共溶融された。ジプロピレングリコールを香料の後に加え、全体を通して攪拌した。脱塩水を４５℃から５０℃程度に加熱して加えた。その結果得られる混合物を、１５０ｒ．ｐ．ｍ．で均一になるまで攪拌した。
【００７７】
【表１】
2008519910.tif 000010
【００７８】
評価
分注デバイス（１６０μｍの膜厚さ、０．２μｍの膜細孔サイズ、および１０８０ｍｍ２の膜面積を持ち、特許出願ＷＯ−Ａ−０２／３３１６１の１６頁の２６行目から２０頁の１２行目までで説明され、図１、３、および４に示されている）は、サンプルのそれぞれの３０ｇを充填された。
【００７９】
デバイスを２から３時間かけて６０℃の温度まで加熱し、泡パッドの前面の少なくとも８０％が目で見て生成物で「濡れている」ようにした（典型的な回転式乾燥機内の条件をシミュレートするため）。次いで、冷まし、直立位置にした。また、対照サンプル（１００ｇ）を密閉容器内に入れた。
【００８０】
サンプルは、３日間、高温で貯蔵され、物理的状態／漏れが目視で観察された。次いで、この実験を７日間にわたって繰り返した。
【００８１】
得られた結果を以下の表にまとめた。
【００８２】
【表２】
2008519910.tif 000011
【００８３】
驚いたことに、密閉容器内に貯蔵された時に比較サンプルが固体のままである温度であっても、デバイスからの漏れを生じた。
【００８４】
【表３】
2008519910.tif 000012
【００８５】
これらの結果から、回転式乾燥機の典型的動作温度よりも低い温度では、第四級アンモニウム織物軟化材の混合物を含むサンプルＢは、比較サンプルよりも著しく優れた貯蔵安定性を示したことがわかる。
【００８６】
滴りは、容器内に充填された組成物の量が著しく増えた場合に増えることが予想される。
【００８７】
（実施例２）
以下の組成物は、実施例１の手順を用いて調製された。
【００８８】
【表４】
2008519910.tif 000013
【００８９】
Ｌｕｔｅｎｓｏｌ  ＴＯ  ２０は、２０個のエトキシレート基を有するイソ−Ｃ１３アルコールを含むアルコールアトキシレートである。Ｇｅｎａｐｏｌ  Ｃ  ２００に類似しているが、試験したところ、織物の染色が少ないことがわかった。
【００９０】
Ｐｒｉｆｒａｃ  ２９６０は、パルミチン酸（Ｕｎｉｑｅｍａ社）である。
【００９１】
Ｓｔｅｎｏｌ  １６１８Ｌは、獣脂アルコール（セテアリルアルコール）（Ｃｌａｒｉａｎｔ社）である。
【００９２】
組成物は、以下の特性を示した。
【００９３】
【表５】
2008519910.tif 000014
【００９４】
これらの組成物は、組成物の６０ｇが容器に充填されたことを除き、実施例１と同様に評価された。得られた結果を以下の表にまとめた。
【００９５】
【表６】
2008519910.tif 000015
【００９６】
実施例１および２（サンプルＢ）を比較すると、容器内の生成物の量が多いほど滴る傾向が大きくなることがわかる。
【００９７】
本発明の組成物は、サンプルＢと比較して２８℃で著しく改善された貯蔵特性を示した。さらに、本発明のサンプルは、３３℃および３７℃においてサンプルＢよりも少ない滴りを示し、回転式乾燥機の熱サイクルの高温部分への分注の制御能力が高い。
【００９８】
（実施例３）
ポリエステルを染色する材料および組成物の能力を評価する実験を行った。ポリエステルは、大半のものを染色することを明らかにしている織物として広く受け入れられている。
【００９９】
応用方法
すべての調製品を１０％溶液（イソプロパノール中）に希釈し、Ｃｏｍｆｏｒｔ  Ｒｅｆｒｅｓｈ  Ｓｐｒａｙ  Ｂｏｔｔｌｅ（参照：ＰＥＴ  Ｂｏｓｔｏｎ  Ｒｏｕｎｄ  Ｔａｌｌ  Ｂｏｔｔｌｅ  ２７２４８４、Ｓｐｒａｙｅｔｔｅ  ＩＶ  ＆  ２４／４１０キャップ）に入れた。織物（ピンク色ポンジーポリエステル）を３０ｃｍの距離のところから１０％溶液で３回スプレーし、試験溶液の約１〜１．５ｇを送達した。送達される生成物の質量を記録し、モニタをライン乾燥（ｌｉｎｅ  ｄｒｙ）させた。モニタサイズ−０．７×０．５ｍ。
【０１００】
織物に塗布する際に、すべての生成物を６０℃に温め、これにより、確実に、すべての材料が、施されるときに完全に可溶化された。
【０１０１】
試験は３回行った。
評価プロトコル
２人の調製チームメンバが目視で染色を評価した。ＡＣＴＩビジュアルルーム内でビューイングキャビネットを使用してモニタを評価し、染色が見えるようになってきたときにモニタを見るためＵＶおよびＤ６５光を選択した。
【０１０２】
モニタは、染色された布の割合および染色の外観について評価された。モニタは、さらに、染色が最も少ないモニタを選択して、対で評価した。
【０１０３】
これらの結果から以下がわかった。
【０１０４】
Ｌｕｔｅｎｓｏｌ  ＴＯ  ２０は、Ｇｅｎａｐｏｌ  Ｃ２００よりも染色の傾向が小さい。
【０１０５】
Ｐｒｉｆｒａｃ  ２９６０およびＳｔｅｎｏｌ  １６１８Ｌは、Ｇｅｎａｐｏｌ  Ｃ２００よりも染色の傾向が小さい。
【０１０６】
Ｓｔｅｎｏｌ  １６１８Ｌは、Ｌｕｔｅｎｓｏｌ  ＴＯ  ２０およびＰｒｉｆｒａｃ  ２９６０よりも染色の傾向が小さい。
【０１０７】
実施例１から３は、サンプルＢに比べて染色の傾向が小さい。
【０１０８】
本発明の組成物中の脂肪成分の存在により、熱活性可能組成物の染色傾向を下げることができる。
（実施例４）
以下の組成物は、実施例１の手順を用いて調製された。
【０１０９】
【表７】
2008519910.tif 000016
【０１１０】
Ｐｒｉｓｔｅｒｉｎｅ  ４９１１は、Ｕｎｉｑｅｍａ社の脂肪酸製品であり、パルミチン酸および硬化獣脂酸を含む。
【０１１１】
Ｐｒｉｓｔｅｒｉｎｅ  ４９１１は、Ｐｒｉｆｒａｃ  ２９６０よりも低い温度で溶融し、取り扱いやすかった。サンプル５は、室温において硬く均質な固体であり、高温で許容可能な融点および粘度を有していた。
【０１１２】
サンプル６から８では、３６％脂肪酸または３６％獣脂アルコールを使用する。すべてのサンプルは、室温では硬く均質な固体であり、サンプル２よりもわずかに高い温度で溶融し、許容可能な粘度は、６０℃で６０ｍＰａｓ±１０であった。
【国際調査報告】
2008519910.tif 000018
2008519910.tif 000019
2008519910.tif 000020